(57)【要約】      （修正有）【課題】アルミ箔内に入れる菓子の賞味・品質を長く保証し、菓子袋の外装に使うことを利用して、製造メ−カ名のロゴ・ブランドを有効にＰＲができる様に印刷をした菓子袋を提供する。【解決手段】一枚の厚手のコ−ト紙をプレスにて打ち抜き、それを所定の折り曲げ部にて折り曲げ、袋状にする為に縁部と底部を糊付けして筒状の四辺形の断面を持つ物にする。アルミ箔の菓子袋を取り入れたり、取り出す為の封筒状の糊付けする部をオ−プンにしておく。また、菓子袋の使用時・使用後の時に包装袋の管理を有効にする為に袋の上部の片隅に孔をあけ、孔の強度を増す為にリング状シ−ルを貼る。なお、この孔は壁に取り付けたクギに懸けて使用する。【選択図】図８
0003150798.tif 000002
【実用新案登録請求の範囲】
【請求項１】
アルミ箔等に菓子を入れて密封せる菓子袋を包装する菓子袋に於いて、
イ）  １枚の紙材からプレスにて菓子袋の展開時の外形を打ち抜きにて切断し、
ロ）  それ後（図８に示す）折り曲げ線（１６、１７、１８、１９）に沿って成形し、
ハ）  底部１２を裏側から表側の手順に折り曲げ、重ね合わせ部を糊り付け密着し、
ニ）  その後に、紙材の長さＶの方向の縁部１４にて糊り付け密着し、
ホ）  封印部１１が開放された菓子袋が成形され、
ヘ）  以上より構成された袋に、菓子類を入れて密封せるアルミ箔等の菓子袋を入れる、
ことを特徴とする外装用の菓子袋１０。
【請求項２】
菓子袋の表面、裏面、両側面に会社ロゴ及びブランド名を付ける、
ことを特徴とする請求項１の外装用の菓子袋。
【請求項３】
封筒状の封印部１１に孔（１３Ａ）あきのパッチ１３を付ける、
ことを特徴とする請求項１の外装用の菓子袋。
【考案の詳細な説明】
【技術分野】
【０００１】  本考案は、アルミ箔などにて密封せる菓子袋を入れる菓子入れ袋に関する考案である。
【背景技術】
【０００２】  従来は、菓子用の袋本体に収納ポケット部に広告・宣伝紙を交換自在に収納出来るものとして、広告・宣伝のための表示内容の変更を可能にし、不足・余剰等が生じても迅速に対応が出来ものがある。（例えば、特許文献１参照）【０００３】  また、ポテトチップスなどのスナック菓子の袋の適所に、ウエットテイッシュペ−パ−  如き手拭き用品が封入された収納部を備えることにより、旅行中や移動中の乗り物の中  安心してポテトチップスなどのスナックス菓子を食べることが出来る菓子袋。（例えば  許文献２参照）【０００４】  菓子袋をカバンなどへ見栄え良く吊下げることによって、アクセサリ−としてのおしゃ  感覚を楽しむ携帯用菓子の吊下げ具。（例えば、特許文献３参照）【０００５】
【特許文献１】  登録実用新案第３１３３５２１号
【特許文献２】  登録実用新案第３０６７８８３号
【特許文献３】  登録実用新案第３０５８４２０号
【考案の開示】
【考案が解決しょうとする課題】
【０００６】  前記に記載する特許文献（例は、登録実用新案）は、諸々の目的があるための菓子袋であるが、本考案はアルミ箔などにて密閉された菓子袋を入れる菓子袋で、アルミ箔の中に使用している菓子は、日常用の徳用品の菓子とは異にする上位ランクの菓子袋に使用するもので、賞味・品質も長く保証するものが要望されていた。
【０００７】  本考案は、かかる従来の趣向と異なる点を解決するためのもので、その目的は、アルミ箔内に入れる菓子の賞味・品質を長く保証するは勿論、菓子袋の外装に使うことを利用して、製造メ−カ名のロゴ・ブランドを有効にＰＲができる様に印刷をした菓子袋を兼ねるものが要望されていた。
【課題を解決するための手段】
【０００８】  本考案は、前記のことを解決するために図に順じて述べる。
【０００９】  図１、図２、図３と図６は、製造メ−カのロゴ・ブランドのものを菓子袋の外装に使用した例のものである。
この袋は、図８に示す菓子袋の展開（図）の紙材から製作する。
この袋の製作図面は、菓子袋を相似形に製作ができる模範の設計図を参考に示したものでこの図は、Ｗを基準に成立っている。従って、仮にＷ＝５０ミリを入れれば、実例使用のサイズの菓子袋ができるようになっている。
【００１０】  図９は、図１の封筒部（１１）にビニ−ル製の孔（１３Ａ）付きパッチ（１３）を装着したものであり、この部が異なるものである。この孔は、アルミ箔内の菓子を消費使用中で菓子の残り部を使う際に、一時管理をし易くするときに、壁に取り付けの釘にこの孔に挿入して吊るすことに便利さのためのものである。また、孔の強度を紙を２重にして増すために折り曲げ部１７Ａで行う。
【考案の効果】
【００１１】  本考案は、（図８の）菓子袋の成形前の展開形状で同じデザイン・形状の相似形のものを作る場合に、簡単に図案の設計・選定から企画が確実で能率的に誰でもできできる。
即、図中の点線（１８、１９）、一点鎖線（１６、１７）は、折り曲げ線で目印である。
【００１２】  封筒状の封印部（１１）の所にビニ−ル製の孔（１３Ａ）あきのパッチ（１３）を付加することで、例えば、壁に装着した釘に差し込みすれば、菓子袋の使用途中時の菓子袋の管理が容易に出来、一方、店または工場内での空菓子袋の管理及び環境の合理化もでき美化にも有効となる。
【００１３】  本考案の菓子袋を成形したのちに、会社のロゴ・商標のマ−クなどをシ−ル化しておき必要なところに装着して菓子袋の外装を変え新鮮さを構築して大衆へのアピ−ルをするのに効果もある。
【考案を実施するための最良の形態】
【００１４】  以下、本考案の実施の形態を実施例１、その後に関連の他の実施例について述べる。
【実施例】
【００１５】  実施例１の図１（袋の裏面）、図２（左面）、図３（右面）、図５（底面）、図６（袋の表面）は紙材をプレスにて打ち抜き後の菓子袋の成形前の展開面を図８に示している。
この展開面は、設計寸法の基準値（Ｗ）にて成立したものである。
よって、仮にＷ＝５０（ミリ）の数値を代入すれば、実施中の袋の板取りができる。
この袋と相似形のものを作りたい時には、例えば；Ｗ＝２５の数値を使えば、（１／２）を使えば、（１／２）の大きさの菓子袋が容易に製作することができる。【００１６】  紙材（原紙）にカラ−を使用して菓子袋を成形して、別に製作のワッペン状のシ−ルの会社のロゴ・商標（ブランド）を張り付け（糊りつければ）ることもアイデア次第で、生産数の少数時は容易に外装をいろいろなデザインのものを作成することができる。
勿論、同じデザインのものを多数生産の時には、印刷して生産する事は当然である。【００１７】  菓子袋の材質は、コ−ト紙を使い、紙材の厚さ（Ｔ）は、約０．２ミリの物を使用。尚、封印部（１１）に使用のパッチ（１３）は、ビニ−ル製の孔（１３Ａ）あきを使用し、図８の斜め線部の縁部（１４）の所等に使う貼り重ね合わせ部は「合成のり」等を使う。
封印部（１１）に使用する封印は、市販品のスコッチテ−プ（２０）を使用する。
【産業上の利用可能性】
【００１８】  本考案の中に入れるアルミ箔の図示なき菓子袋を考えての説明だったが、本考案で成形品の菓子袋を直に使用しても何ら差し支えはない。この時は、封印部は糊付けでの製品の菓子袋として使用する。
【図面の簡単な説明】
【００１９】
【図１】本考案の第１実施例の菓子袋の裏面側図である。
【図２】第１図の矢視Ａの左側面図である。
【図３】第１図の矢視Ｂの右側面図である。
【図４】本考案の第２図の封筒状の封印部１１を閉じた左側面図である。
【図５】本考案の第２図の矢視Ｃの底面図である。（ａ）（底面図）  （ｂ）底面１２の組立て手順．．．  （参考用図）
【図６】本考案の第１実施例の菓子袋の表面側図である。
【図７】本考案の第１実施例の図２からの折り畳み時の形状（空袋の搬送時形状）
【図８】本考案の第１実施例の菓子袋の展開図（実例、紙厚Ｔ≒０．２ミリ）
【図９】本考案の第２実施例の菓子袋の裏面側図である。
【符号の説明】
【００２０】  １０  菓子袋、    １０Ａ  （袋の）表面、    １０Ｂ  （袋の）裏面
１１（封筒状の）封印部、    １０Ｃ  （袋の）左面、    １０Ｄ  （袋の）右面
１２  底部  又は  底面部、    １２  底部Ａ、    １２  底部Ｂ
１３  （ビニ−ル製の  孔１３Ａ  あき）パッチ、    １４  （斜め線部の）縁部
１５  （商標の）マ−ク、１５Ａ  マ−クＡ，１５Ｂ  マ−クＢ、１５Ｃ  マ−クＣ
１６、１７、１８、１９  （説明用の）折り曲げ線
２０  スコッチテ−プ【００２１】  Ｗ  設計寸法の基準（記号）、（実例では、Ｗ≒５０ミリで計算）
Ｔ  （紙材の）厚さ
Ｖ  （紙袋の高さ方向の）長さ
Ｈ  （紙袋の幅方向の）長さ
【図１】
0003150798.tif 000003
【図２】
0003150798.tif 000004
【図３】
0003150798.tif 000005
【図４】
0003150798.tif 000006
【図５】
0003150798.tif 000007
【図６】
0003150798.tif 000008
【図７】
0003150798.tif 000009
【図８】
0003150798.tif 000010
【図９】
0003150798.tif 000011